(57)【要約】      （修正有）【課題】給水配管を備えた洗濯機用防水パンについて、その施工性を向上するとともに、施工後であっても給水配管の接続等施工が適正に行われているか否かを確認することができる、洗濯機用防水パンを提供する。【解決手段】洗濯機用防水パンについて、洗濯機を載置する底壁部１ａ、該底壁部１ａの周囲を囲む側壁部１ｂ、からなる防水パン本体１と、防水パン本体１に備えた、少なくとも防水パン本体１の下方に対して開口し、該下方の開口から防水パン本体１の表側に連通する連通部１ｄと、該連通部１ｄに床下から延出される給水配管が配置された状態で、該連通部１ｄを閉塞する閉塞部材３から構成する。【選択図】図７
2019210642.tif 000002
【特許請求の範囲】
【請求項１】
洗濯機用防水パンであって、
洗濯機を載置する底壁部、該底壁部の周囲を囲む側壁部、からなる防水パン本体と、
防水パン本体に備えた、少なくとも防水パン本体の下方に対して開口し、該下方の開口から防水パン本体の表側に連通する連通部と、
該連通部に床下から延出される給水配管が配置された状態で、該連通部を閉塞する閉塞部材と、
からなる洗濯機用防水パン。
【請求項２】
上記洗濯機用防水パンにおいて、防水パン本体の表側の連通部は、防水パン本体の上方に向かって開口することを特徴とする、請求項１に記載の洗濯機用防水パン。
【請求項３】
上記洗濯機用防水パンにおいて、防水パン本体の表側の連通部は、防水パン本体の側方に向かって開口することを特徴とする、請求項１に記載の洗濯機用防水パン。
【請求項４】
前記閉塞部材に、給水配管または給水配管を接続した継手管を固定する固定部を備えたことを特徴とする、請求項１乃至請求項３のいずれか一つに記載の洗濯機用防水パン。
【請求項５】
前記防水パン本体に、給水配管または給水配管を接続した継手管を固定する固定部を備えたことを特徴とする、請求項１乃至請求項３のいずれか一つに記載の洗濯機用防水パン。
【請求項６】
前記連通部の上端が、側壁部の上端以上の高さ位置に備えられてなることを特徴とする、請求項１乃至請求項５のいずれか一つに記載の洗濯機用防水パン。
【請求項７】
前記給水配管または給水配管を接続した継手管は、給水配管の通水を制御するハンドル部を備え、
前記防水パン本体は、洗濯機を載置する、防水パン本体の床面部より立ち上がる架台部を備え、
架台部の上端が、ハンドル部の上端以上の高さ位置に備えられてなることを特徴とする、請求項１乃至請求項６のいずれか一つに記載の洗濯機用防水パン。
【請求項８】
前記洗濯機用防水パンは、給水配管の接続を確認するための点検機構を備えてなることを特徴とする、請求項１乃至請求項７のいずれか一つに記載の洗濯機用防水パン。
【発明の詳細な説明】
【技術分野】
【０００１】
本発明は、床面上に洗濯機を配置する際に、洗濯機を載置する洗濯機用防水パンに関するものである。
【背景技術】
【０００２】
従来より、洗濯機を床面上に配置する場合に、特許文献１に記載したような、底面と、底面を囲む側壁部と、洗濯機の脚部を載置する、底面の四隅に設けた架台部と、からなる洗濯機用防水パンを床面上に設置して、その架台部上に洗濯機を載置する構造が知られている。
また、洗濯機用防水パンの底面上には排水口が備えられ、この排水口に洗濯機用の排水トラップが取り付けられてなる。排水口は洗濯機用防水パンの底面上からの排水が流入すると共に、その中央部分にホース管の接続部分を設け、洗濯機からの排水が排出されるホース管が接続されるように構成されてなる。このようにして、洗濯機用防水パンに取り付けられた排水トラップは、洗濯機や洗濯機用防水パンの底面上の排水を下水側に排出処理するように構成されてなる。
更に、特許文献１の洗濯機用防水パンの架台部には、その内側側面に、洗濯機に給水を行う為の給水配管端部と接続される給水栓本体と、給水配管の通水を制御する操作部としてのハンドル部を備えてなる。
上記のように構成した洗濯機用防水パンにおいて、給水栓本体とハンドル部は、洗濯機用防水パンの施工前に、事前に洗濯機用防水パンに取り付けられてなる。また、洗濯機用防水パンの施工時に、給水栓本体は床下からの給水配管が接続されると共に、洗濯機の給水用の配管が接続され、ハンドル部の操作によって給水栓が開栓されると、洗濯機に給水が行われるように構成されてなる。
【０００３】
【特許文献１】特開２０１７−２０１７８号
【発明の開示】
【発明が解決しようとする課題】
【０００４】
上記のような従来の洗濯機用の架台には、以下に記載するような問題点があった。
１．上記洗濯機用防水パンにおいては、洗濯機用防水パンに給水栓本体が接続された状態で、この給水栓本体に床下から延出した給水配管を接続する必要がある。これらの洗濯機用防水パンでは、洗濯機用防水パンの設置後に、床下から延出した給水配管を、洗濯機用防水パンの裏面にある給水栓本体に接続することは不可能であるため、洗濯機用防水パンの設置前に給水栓本体に給水配管を接続し、その後で、洗濯機用防水パンを床面に設置する必要がある。
しかし、給水配管は施工完了時床下空間に収納されることから、床面上にある程度引き出せるとしても、あまり長く床上上に引き出すことはできない。一方、洗濯機用防水パンは一片が６０センチメートルを超える比較的大きな部材であり、給水配管の引き出し長さに制限ある状態では、作業を容易にするため、洗濯機用防水パンを裏返しにしながら給水配管を接続する、といった作業は困難である。実際には、洗濯機用防水パンを床面から少し持ち上げた状態で、床下空間から引き出した給水配管を、床面と洗濯機用防水パンの裏面の狭い隙間から手を入れる等して給水栓本体に接続するという、大変困難な状況で施工を行う必要があった。
２．洗濯機用防水パンの施工は、給水栓本体に給水配管を接続した上で、床面上に洗濯機用防水パンを設置することで行われる。このため、給水配管を給水栓本体に接続したとしても、その後床面上に洗濯機用防水パンを設置する際に洗濯用防水パンや給水配管を動かすことで、接続が外れたり、漏水が生じる程度に不完全な接続になってしまう場合があった。
３．上記２．のように、床面上に洗濯機用防水パンを設置する際に給水配管の外れなどが生じても、床面上に洗濯機用防水パンを設置してしまうと、洗濯機用防水パンの裏側を確認する方法がない。このため、漏水などが生じても、床下空間を漏水で破壊し、更に下層階に漏水する、といった致命的な破損等が起きるまで把握することが出来ない等の問題があった。
本発明は上記問題点に鑑み発明されたものであって、給水配管を備えた洗濯機用防水パンについて、その施工性を向上するとともに、施工後であっても給水配管の接続等施工が適正に行われているか否かを確認することができる、洗濯機用防水パンを提供するものである。
【課題を解決するための手段】
【０００５】
請求項１に記載の本発明は、洗濯機用防水パンであって、
洗濯機を載置する底壁部、該底壁部の周囲を囲む側壁部、からなる防水パン本体と、
防水パン本体に備えた、少なくとも防水パン本体の下方に対して開口し、該下方の開口から防水パン本体の表側に連通する連通部と、
該連通部に床下から延出される給水配管が配置された状態で、該連通部を閉塞する閉塞部材と、
からなる洗濯機用防水パンである。
ここで、「連通部を閉塞する」とは、防水パン本体の下方から防水パン本体の表側へ連通する連通部を、施工者／使用者が必要とする程度に閉塞する、という意味である。防水パン本体の下方側から表側への連通を閉塞するのに当たり、閉塞の程度について、気密的又は水密的に閉塞するのか、又は漏水や通気を防ぐことはできなくともある程度の大きさの塵芥や害虫類が屋内側に侵入することを防ぐことができれば良いのか、或いは単に意匠的な理由から表側から下方が視認できないようにする程度で良いのか、等は、施工者／使用者が、必要に応じて判断するものであり、本発明ではその必要に応じた程度に閉塞できていれば、いずれも「連通部を閉塞する」に相当するものである。
【０００６】
請求項２に記載の本発明は、上記洗濯機用防水パンにおいて、防水パン本体の表側の連通部は、防水パン本体の上方に向かって開口することを特徴とする、請求項１に記載の洗濯機用防水パンである。
【０００７】
請求項３に記載の本発明は、上記洗濯機用防水パンにおいて、防水パン本体の表側の連通部は、防水パン本体の側方に向かって開口することを特徴とする、請求項１に記載の洗濯機用防水パンである。
【０００８】
請求項４に記載の本発明は、前記閉塞部材に、給水配管または給水配管を接続した継手管を固定する固定部を備えたことを特徴とする、請求項１乃至請求項３のいずれか一つに記載の洗濯機用防水パンである。
【０００９】
請求項５に記載の本発明は、前記防水パン本体に、給水配管または給水配管を接続した継手管を固定する固定部を備えたことを特徴とする、請求項１乃至請求項３のいずれか一つに記載の洗濯機用防水パンである。
【００１０】
請求項６に記載の本発明は、前記連通部の上端が、側壁部の上端以上の高さ位置に備えられてなることを特徴とする、請求項１乃至請求項５のいずれか一つに記載の洗濯機用防水パンである。
【００１１】
請求項７記載の本発明は、前記給水配管または給水配管を接続した継手管は、給水配管の通水を制御するハンドル部を備え、
前記防水パン本体は、洗濯機を載置する、防水パン本体の床面部より立ち上がる架台部を備え、
架台部の上端が、ハンドル部の上端以上の高さ位置に備えられてなることを特徴とする、請求項１乃至請求項６のいずれか一つに記載の洗濯機用防水パンである。
【００１２】
請求項８記載の本発明は、前記洗濯機用防水パンは、給水配管の接続を確認するための点検機構を備えてなることを特徴とする、請求項１乃至請求項７のいずれか一つに記載の洗濯機用防水パンである。
【発明の効果】
【００１３】
請求項１に記載の本発明においては、洗濯機用防水パンにおいて、防水パン本体の下方から防水パン本体の表側に挿通する連通部を設け、この連通部に給水配管を配置した状態で、閉塞部材により連通部を閉塞することで、容易に給水配管を洗濯機用防水パンに接続固定することができる。
請求項２、請求項３に記載の本発明では、洗濯機用防水パンの表側の連通部の開口の方向について、明確化することができる。
請求項４に記載の本発明では、給水配管または給水配管を接続した継手管を、防水パン本体に比較し、充分に小さい閉塞部材に固定する構造とすることで、給水配管または給水配管を取り付ける作業を容易な構造とすることができる。
請求項５に記載の本発明では、防止パン本体の設置後に給水配管または給水配管を固定する継手管を防水パン本体に固定することで、給水配管または給水配管を取り付ける作業を容易な構造とすることができる。
請求項６に記載の本発明では、洗濯機用防水パン上に排水（漏水）が発生した場合に、連通部側に漏水があふれることを防止することができる。
請求項７に記載の本発明では、給水の通水の制御を行うハンドル部が洗濯機底面に干渉しないようにすることができ、その操作を容易に行うことができる。
請求項８に記載の本発明では、洗濯機用防水パンの施工後に、給水配管等の施工が適正に行われているかを確認することができる。
【図面の簡単な説明】
【００１４】
【図１】第一実施例の洗濯機を載置した事例を示す正面図である。
【図２】第一実施例の洗濯機を載置した事例を示す側面図である。
【図３】第一実施例の洗濯機を載置した事例を示す斜視図である。
【図４】第一実施例の洗濯機用防水パンの正面図である。
【図５】第一実施例の洗濯機用防水パンの平面図である。
【図６】第一実施例の洗濯機用防水パンの斜視図である。
【図７】図６の実施例の部材構成を示す斜視図である。
【図８】図５のＡ−Ａ部分で継手管以外を切断した断面図である。
【図９】第一実施例の閉塞部材及び継手管を示す、一部を切り欠きした参考図である。
【図１０】排水トラップの部材構成を示す断面図である。
【図１１】第二実施例の洗濯機を載置した事例を示す正面図である。
【図１２】第二実施例の洗濯機用防水パンの平面図である。
【図１３】第二実施例の防水パン本体のみの平面図である。
【図１４】第二実施例の洗濯機用防水パンの斜視図である。
【図１５】図１４の実施例の部材構成を示す斜視図である。
【図１６】図１２のＢ−Ｂ部分で継手管以外を切断した断面図である。
【図１７】第三実施例の洗濯機を載置した事例を示す正面図である。
【図１８】第三実施例の洗濯機用防水パンの正面図である。
【図１９】第三実施例の洗濯機用防水パンの平面図である。
【図２０】第三実施例の洗濯機用防水パンの斜視図である。
【図２１】図１９のＣ−Ｃ部分で継手管以外を切断した断面図である。
【図２２】図１９のＣ−Ｃ部分で切断した防水パン本体のみの断面図である。
【実施例】
【００１５】
以下に、本発明の第一実施例を、図面を参照しつつ説明する。
尚、図面上において、給水配管Ｑ、給水ホース管Ｑ１及び排水ホース管Ｈ１については点線にて簡易に図示し、またその接続部分の構造については省略する。
本発明の第一実施例は、図１乃至図１０に示した、以下に記載する、防水パン本体１、閉塞部材３、継手管５、排水トラップ６、からなり、以下に記載する床面Ｆ上に設置されて、以下に記載する洗濯機Ｓを載置するように構成されてなる。
防水パン本体１は、平面視約６０センチメートル四方の正方形からなる底壁部１ａと、該底壁部１ａの周囲を囲む側壁部１ｂと、からなり、更に、底壁部１ａの四隅に、底壁部１ａの一部が上方に立ち上がって側壁部１ｂと一体に形成された、洗濯機Ｓの脚部を載置する架台部１ｃを備えてなる。
更に、底壁部１ａ上に、排水トラップ６を取り付ける取付孔１ｅと、後述する閉塞部材３が下方から挿通されて嵌合接続される連通部１ｄが形成されてなる。
連通部１ｄについて詳述すると、連通部１ｄは、図５にあるように、四か所ある架台部１ｃ同士の間の一つに、側壁部１ｂに沿って平面視長方形を成すように形成されてなる。連通部１ｄの周縁は、一辺は側壁部１ｂであり、他の三辺は、側壁部１ｂから延出された、側壁部１ｂと同じ高さまで垂立した立ち上げ壁１ｆが形成されてなる。即ち、前記連通部１ｄの上端は、側壁部１ｂの上端と同じ高さ位置に備えられてなる。
閉塞部材３は下方が開口した箱体であって、その側面に連通部１ｄと嵌合する嵌合部（図示せず）を形成してなり、またその内部には、継手管５が取り付けられる固定部２が設けられてなる。また、閉塞部材３の、施工完了時防水パン本体１の中心側を向く面及び防水パン本体１の外側を向く面に、それぞれ固定部２としての開口が設けられてなる。
これら側面の開口は、閉塞部材３の側面に段を設けることで、平面視継手管５が全て閉塞部材３外周縁内に収まるように形成されてなる。
また、前記閉塞部材３は、閉塞部材３の内部を確認することができる点検機構４として、施工完了時、連通部１ｄの上端よりも高い位置となる箇所に、透明な樹脂素材からなる点検窓４ａを備えて構成されてなる。
継手管５は、側面視略Ｔ字形状を成す継手であって、Ｔ字形状の下方の端部は床下から立ち上がる給水配管Ｑの端部と接続可能に構成されてなる。また、Ｔ字形状の側方を向く端部の一端は、給水の水量を制御するハンドル部５ａがネジを利用した接続により着脱自在に取り付けられ、他端は洗濯機Ｓの給水の為の給水ホース管Ｑ１を着脱可能に取り付けられるアダプター部５ｂを、やはりネジによる接続にて着脱自在に接続できるように構成されてなる。
尚、施工完了時において、洗濯機用防水パンの架台部１ｃの上端が、ハンドル部５ａの上端よりも高い高さ位置となるように、防水パン本体１、閉塞部材３、継手管５、の各部材は構成されてなる。
また、施工完了時において、継手管５の下端部分は、洗濯機用防水パンを設置する床面Ｆよりも高い位置となるように、防水パン本体１、閉塞部材３、継手管５、の各部材は構成されてなる。このため、施工が完了した状態では、床下に配置されている給水配管Ｑの端部は、床面Ｆ上に延出した状態に配置される。
上記のように床下からの給水配管Ｑの端部が床面Ｆ上に延出した状態に配置されることで、給水配管Ｑを配管の為に屈曲させる場合、床下空間だけで給水配管Ｑを屈曲させるより、床下空間及び床面Ｆより上方の空間を利用して屈曲させる方が、給水配管Ｑの曲がり半径を大きくすることができ、給水配管Ｑに負担が掛かり難い。また、点検窓４ａから給水配管Ｑと継手管５の接続部分を確認する作業も、床下空間に接続箇所があるより床上に接続部分がある方が容易となる。
排水トラップ６は、防水パン本体１の取付孔１ｅに取り付けられる、排水を処理する部材であって、有底円筒状にしてその上端内面に雌ネジを、またその側面に排出口を備えたトラップ本体６ａと、略円筒形状にして上端に鍔部を、側面にトラップ本体６ａの雌ネジと螺合する雄ネジを備えたフランジ部材６ｂと、から構成される。また、排水トラップ６内部に、後述するトラップ機能を備える為に、封水部材６ｃを備えてなるが、封水部材６ｃについては周知技術のため、具体的な構成については省略する。
フランジ部材６ｂの上面、施工完了時排水トラップ６の上面となる部分には、底壁部１ａ上の排水流入する排水口６ｄと、洗濯機Ｓからの排水が流れる排水ホース管Ｈ１を接続する排水接続部６ｅが設けられてなる。
また、トラップ本体６ａの排出口は、床下空間の下水側の配管に接続され、排水トラップ６内の排水を下水側に排出する。また、具体的な部材構成は省くが、本実施例の排水トラップ６は、封水部材６ｃと呼ばれる複数の部材を組み合わせて排水トラップ６内部に配置することにより、排水トラップ６内部の排水流路上に、封水と呼ばれる排水流路が排水によって満たされた部分を形成する。この封水部分を、下水側からの臭気や害虫類が通過することができないため、排水トラップ６は排出口に接続されている下水側からの臭気や害虫類が、屋内側である排水口６ｄや排水接続部６ｅに逆流することを防止する機能を備えてなる。このような、排出口から排水口６ｄや排水接続部６ｅへの臭気や害虫類の逆流を防止する機能を、「トラップ機能」と呼ぶ。
上記洗濯機用防水パンが設置される床面Ｆは、以下のように構成される。
床面Ｆは、板材によって形成された屋内の床面Ｆであって、その下方に床下空間を備えてなり、該床下空間内に、給水配管Ｑ及び排水配管Ｈを配置してなる。
また、下水側の配管洗濯機用防水パンを設置する箇所に、洗濯機用防水パンに完全に覆われ、隠される大きさの床下配管口Ｆ１を設けてなる。
床下空間に配置されてなる給水配管Ｑは、側面方向に可撓性を備えた樹脂管からなり、ある程度床下空間から床面Ｆ上に引き上げることが可能な長さに構成されてなる。
床下空間に配置されてなる排水配管Ｈは、硬質樹脂からなる樹脂管及び樹脂継手管の組み合わせによって構成されてなり、床下空間から床面Ｆ上に引き上げる等は不可能であるものの、ある程度たわみなどを利用して位置調整が可能である。
上記給水配管Ｑ、排水配管Ｈの内、給水配管Ｑは給水を水圧によって圧送する。一方、排水配管Ｈは、重力を利用し勾配によって排水を行う。このため、配管レイアウトの自由度としては、給水配管Ｑの方が、自由度が高い。
上記洗濯機用防水パン上に設置される洗濯機Ｓは、以下のような構成である。
洗濯機Ｓは、衣類の洗濯を行う家電機器であって、縦・横が約６０センチメートル乃至７０センチメートル、高さ１００センチメートル前後の略箱形を成し、またその下方の四隅に脚部を備えてなる。また、洗濯に使用する給水が流れる給水ホース管Ｑ１と、洗濯に使用した後の排水が流れる排水ホース管Ｈ１を備えてなる。
【００１６】
以下に、本発明の洗濯機用防水パンと洗濯機Ｓの施工方法を、図面を参照しつつ記載する。尚、以下の施工において、特に記載しないが、水密的な接続が必要となる箇所は、接着やパッキング、コーキング剤の使用等により水密的に接続される。
まず、床下から給水配管Ｑを延出し、継手管５に接続する。次に、この継手管５を閉塞部材３に取り付け固定する。具体的には、閉塞部材３の側面に設けた、施工完了時防水パン本体１の外側を向く面の開口に、ハンドル部５ａと継手管５とで開口周縁を挟持するようにして継手管５端部を固定する。また、施工完了時防水パン本体１の外側を向く面の開口も、ナット部材と継手管５とで開口周縁を挟持するようにして継手管５端部を固定する。この作業は、あまり大きくない閉塞部材３を向き等自由に動かしながら作業を行うことができ、また、閉塞部材３を床面Ｆの開口を介して床下空間に配置して作業を行うことで、給水配管Ｑを無理やり引き上げる等する必要も無く、施工作業は極めて容易に完了する。
次に、平面視施工完了時防水パン本体１の連通部１ｄが配置される位置に、閉塞部材３を移動させ仮置きする。
次に、トラップ本体６ａの排出口を床下配管に接続した上で、防水パン本体１の取付孔１ｅ周縁を、トラップ本体６ａの上面と、フランジ部材６ｂの鍔部下面とで挟持した上で、トラップ本体６ａの雌ネジと、フランジ部材６ｂの雄ネジを螺合させて、排水トラップ６を防水パン本体１に固定する。前述のように、排水配管Ｈは若干撓ませることはできるものの、大きく変形させることはできないため、まだ固定ネジ（図示せず）で固定されていないため多少移動など可能なものの、防水パン本体１はこの時点で事実上施工完了位置に配置される。
次に、閉塞部材３を、連通部１ｄから上方に引き上げて、連通部１ｄに嵌合させ固定する。
次に、防水パン本体１を、固定ネジ等を用いて、床面Ｆの所定の位置に固定する。また、排水トラップ６の内部に封水部材６ｃを取り付ける。
次に、洗濯機Ｓを、防水パン本体１の近傍に移動させ、給水ホース管Ｑ１を洗濯機用防水パンの継手管５の端部に、排水ホース管Ｈ１を排水トラップ６の排水接続部６ｅに、それぞれ接続する。
次に、洗濯機Ｓを、その脚部が防水パン本体１の架台部１ｃ上に載架されるように配置して、洗濯機用防水パンと洗濯機Ｓの施工が完了する。
上記のように、本実施例の洗濯機用防水パンは、防水パン本体１の表側の連通部１ｄが防水パン本体１の上方に向かって開口すると共に、閉塞部材３に給水配管Ｑを接続した継手管５を固定する固定部２を備え、且つ閉塞部材３を防水パン本体１の下方から挿通することで連通部１ｄを閉塞する洗濯機用防水パンである。
【００１７】
上記のようにして行われた洗濯機用防水パンの施工において、給水配管Ｑと継手管５が施工完了時においても確実に接続を維持しているかどうかは、閉塞部材３に備えた点検機構４である点検窓４ａから閉塞部材３の内部を視認することで確認できる。給水配管Ｑと継手管５の接続箇所は、洗濯機用防水パンが設置された床面Ｆよりも上方であるため、点検窓４ａから視認することは容易である。
【００１８】
上記のように構成された洗濯機用防水パンと、該洗濯機用防水パンに載置された洗濯機Ｓは、以下のように使用される。
洗濯機Ｓを使用し、洗濯を行う場合、洗濯機用防水パンに備えられた継手管５のハンドル部５ａを操作し、洗濯機Ｓに給水が可能な状態とする。この状態にて洗濯機Ｓを使用することで、洗濯に必要な給水が、給水配管Ｑ、継手管５、給水ホース管Ｑ１、を介し、洗濯機Ｓに給水され、洗濯に利用される。
また、洗濯に使用された給水は、排水として排水ホース管Ｈ１、排水トラップ６、床下配管を介し下水側に排出される。
【００１９】
また、上記のように構成された洗濯機用防水パンについて、洗濯機Ｓや給水ホース管Ｑ１又は排水ホース管Ｈ１が破損等し、漏水が生じた場合、漏水は洗濯機用防水パンの底壁部１ａ上にて受け止められ、貯留した後、洗濯機用防水パンに取り付けられた排水トラップ６の排水口６ｄから、排水トラップ６内部、床下配管、を介して下水側に排出される。
【００２０】
また、上記のように構成された洗濯機用防水パンについて、給水配管Ｑから洗濯機Ｓへの給水は、洗濯機用防水パンに備えられたハンドル部５ａの操作により自在に行うことができる。これを利用し、使用の都度、継手管５を開栓／閉栓することで、洗濯機Ｓの使用時以外に給水ホース管Ｑ１が破損しても、元々給水ホース管Ｑ１内に存在していた給水以外は洗濯機用防水パン上に流出しないため、給水を無駄にすることが殆ど無くなる。また、給水配管Ｑが開栓されている際に給水ホース管Ｑ１が破損すると、洗濯機用防水パン上に流出する給水の量が多くなり、排水トラップ６の処理量を超えてしまい、洗濯機用防水パンから床面Ｆ上に給水が溢れてしまう場合があるが、使用の都度、継手管５を開栓／閉栓することで、洗濯機Ｓの使用時以外に給水ホース管Ｑ１が破損しても、洗濯機用防水パンから床面Ｆ上に給水が溢れないようにすることができる。
この給水配管Ｑの開栓／閉栓を行うハンドル部５ａの操作は、ハンドル部５ａが洗濯機用防水パンの外側（表側）に配置され、更に洗濯機用防水パンの架台部１ｃの上端が、ハンドル部５ａの上端よりも高い位置となるように構成されているため、上方に洗濯機Ｓが載置されていても、ハンドル部５ａが洗濯機Ｓに干渉することが無く、ハンドル部５ａによる給水配管Ｑの開栓／閉栓の操作が容易である。
もちろん、給水ホース管Ｑ１が破損することは極めて稀であり、給水ホース管Ｑ１が破損することは無いものと判断して、洗濯機Ｓの使用／不使用に関係なく給水配管Ｑを開栓状態のままとしても良い。
【００２１】
次に、本発明の第二実施例を、図面を参照しつつ説明する。
尚、図面上において、給水配管Ｑ、給水ホース管Ｑ１及び排水ホース管Ｈ１については点線にて簡易に図示し、またその接続部分の構造については省略する。
本発明の第二実施例は、図１１乃至図１６に示した、以下に記載する、防水パン本体１、ホルダー部材８、閉塞部材３、継手管５、排水トラップ６、からなり、屋内の床面Ｆ上に設置されて、家電機器である洗濯機Ｓを載置するように構成されてなる。
上記構成の内、継手管５、排水トラップ６、屋内の床面Ｆ、及び洗濯機Ｓは、上記段落００１５に記載した第一実施例の継手管５、排水トラップ６、床面Ｆ、洗濯機Ｓと同様の構成のため記載を省略する。
防水パン本体１は、平面視約６０センチメートル四方の正方形からなる底壁部１ａと、該底壁部１ａの周囲を囲む側壁部１ｂと、からなり、更に、底壁部１ａの四隅に、底壁部１ａの一部が上方に立ち上がって側壁部１ｂと一体に形成された、洗濯機Ｓの脚部を載置する架台部１ｃを備えてなる。更に、底壁部１ａ上に、排水トラップ６を取り付ける取付孔１ｅが設けられてなる。
更に、図１３にあるように、四か所ある架台部１ｃ同士の間の一つに、一辺が側壁部１ｂに沿って平面視長方形を成すようにして底面から上方に向かって立ち上げ壁を形成してなる。立ち上げ壁１ｆの上端には、施工完了時防水パン本体１の中心側を向く面及び防水パン本体１の外側を向く面の上端に、それぞれ凹部７とビス穴７ａが備えられてなる。また、立ち上げ壁１ｆの上端は、凹部７下端も含め、側壁部１ｂの上端よりも高い位置になるように構成されてなる。
更に、立ち上げ壁１ｆ内部の底壁部１ａ上に、給水配管Ｑが貫通した状態で、後述する閉塞部材３によって閉塞される、スリット状の連通部１ｄが形成されてなる。
ホルダー部材８は、薄板の中央部分に凸部分を設けて屈曲させたような形状の部材であって、凸部分の両側に穴部８ａを備えてなり、ビス部材９を該穴部８ａを通して立ち上げ壁１ｆ上面のビス穴７ａに螺合させることで、継手管５を防水パン本体１に固定することができる。
閉塞部材３は、上記連通部１ｄの形状に合致した板状の部材であって、施工完了時連通部１ｄとの間に給水配管Ｑを貫通させる床下配管口Ｆ１分を残して連通部１ｄを閉塞する。
蓋部材４ｂは、意匠性の向上を目的に、施工完了時、立ち上げ壁１ｆで囲まれた領域の上方に着脱自在に取り付けられる、立ち上げ壁１ｆで囲まれた領域の上方を覆い隠す部材であって、施工完了時ハンドル部５ａや給水ホース管Ｑ１等に干渉しないように構成される。
尚、施工完了時、蓋部材４ｂを取り付けた状態において、ハンドル部５ａや蓋部材４ｂの上面は、架台部１ｃの上端よりも低い位置となるように構成されてなる。
また、施工完了時において、継手管５の下端部分は、洗濯機用防水パンを設置する床面Ｆよりも高い位置となるように、防水パン本体１、閉塞部材３、継手管５、の各部材は構成されてなる。このため、施工が完了した状態では、床下に配置されている給水配管Ｑの端部は、床面Ｆ上に延出した状態に配置される。
【００２２】
以下に、本発明の洗濯機用防水パンと洗濯機Ｓの施工方法を、図面を参照しつつ記載する。尚、以下の施工において、特に記載しないが、水密的な接続が必要となる箇所は、接着やパッキング、コーキング剤の使用等により水密的に接続される。
まず、床下空間にある給水配管Ｑの端部を、施工完了時連通部１ｄが配置される位置の近傍に配置する。
次に、トラップ本体６ａの排出口を床下配管に接続した上で、防水パン本体１の取付孔１ｅ周縁を、トラップ本体６ａの上面と、フランジ部材６ｂの鍔部下面とで挟持した上で、トラップ本体６ａの雌ネジと、フランジ部材６ｂの雄ネジを螺合させて、排水トラップ６を防水パン本体１に固定する。
前述のように、排水配管Ｈは若干撓ませることはできるものの、大きく変形させることはできないため、まだ固定ネジ（図示せず）で固定されていないため多少移動など可能なものの、防水パン本体１はこの時点で事実上施工完了位置に配置される。
次に、床下空間から連通部１ｄを介して給水配管Ｑを防水パン本体１上に延出し、継手管５に接続する。
次に、継手管５を防水パン本体１に取り付け固定する。具体的には、ハンドル部５ａを取り付けた継手管５を、ハンドル部５ａ側が防水パン本体１の外側面側となるようにして、立ち上げ壁１ｆ上面の凹部７とホルダー部材８とで挟持した上で、ホルダー部材８の穴部８ａにビス部材９を挿通し、更に壁上面のビス穴７ａに螺合させることで、継手管５を防水パン本体１に固定することができる。即ち、本実施例においては、凹部７とホルダー部材８とで継手管５の固定部２を構成する。
次に、防水パン本体１の上方から連通部１ｄに閉塞部材３を被せ、連通部１ｄを閉塞部材３にて閉塞する。
次に、防水パン本体１を、固定ネジ等を用いて、床面Ｆの所定の位置に固定する。また、排水トラップ６の内部に封水部材６ｃを取り付ける。
次に、洗濯機Ｓを、防水パン本体１の近傍に移動させ、給水ホース管Ｑ１を洗濯機用防水パンの継手管５の端部に、排水ホース管Ｈ１を排水トラップ６の排水接続部６ｅに、それぞれ接続する。
次に、蓋部材４ｂを立ち上げ壁１ｆの上方に取り付ける。
次に、洗濯機Ｓを、その脚部が防水パン本体１の架台部１ｃ上に載架されるように配置して、洗濯機用防水パンと洗濯機Ｓの施工が完了する。
上記のように、本実施例の洗濯機用防水パンは、防水パン本体１の表側の連通部１ｄが防水パン本体１の上方に向かって開口すると共に、防水パン本体１に給水配管Ｑを接続した継手管５を固定する固定部２を備え、且つ閉塞部材３を防水パン本体１の上方から被嵌することで連通部１ｄを閉塞する洗濯機用防水パンである。
【００２３】
上記のようにして行われた洗濯機用防水パンの施工において、給水配管Ｑと継手管５が施工完了時においても確実に接続を維持しているかどうかは、蓋部材４ｂを取り外して立ち上げ壁１ｆ内部を視認することで確認できる。給水配管Ｑと継手管５の接続箇所は、洗濯機用防水パンが設置された床面Ｆよりも上方であるため、立ち上げ壁１ｆの内部から視認することは容易である。即ち、立ち上げ壁１ｆの内部は点検機構４を構成する。
【００２４】
上記のように構成された洗濯機用防水パンと、該洗濯機用防水パンに載置された洗濯機Ｓは、段落００１８に記載した第一実施例と同様に使用することができ、また、段落００１９、段落００２０に記載した以下第一実施例と同様に給水ホース管Ｑ１や排水ホース管Ｈ１、また洗濯機Ｓの破損による給水／排水の流出を処理することができる。
【００２５】
次に、本発明の第三実施例を、図面を参照しつつ説明する。
尚、図面上において、給水配管Ｑ、給水ホース管Ｑ１及び排水ホース管Ｈ１については点線にて簡易に図示し、またその接続部分の構造については省略する。
本発明の第三実施例は、図１７乃至図２２に示した、以下に記載する、防水パン本体１、閉塞部材３、継手管５、排水トラップ６、からなり、屋内の床面Ｆ上に設置されて、家電機器である洗濯機Ｓを載置するように構成されてなる。
上記構成の内、継手管５、排水トラップ６、屋内の床面Ｆ、及び洗濯機Ｓは、上記段落００１５に記載した第一実施例の排水トラップ６、床面Ｆ、洗濯機Ｓと同様の構成のため記載を省略する。
防水パン本体１は、平面視約６０センチメートル四方の正方形からなる底壁部１ａと、該底壁部１ａの周囲を囲む側壁部１ｂと、からなり、更に、底壁部１ａの四隅に、底壁部１ａの一部が上方に立ち上がって側壁部１ｂと一体に形成された、洗濯機Ｓの脚部を載置する架台部１ｃを備えてなる。更に、底壁上に、排水トラップ６を取り付ける取付孔１ｅが設けられてなる。
更に、図２２にあるように、四か所ある架台部１ｃの一つの内部において、断面略Ｔ字形状を成すように、下方と側面方向に開口した連通部１ｄを備えてなる。連通部１ｄの側面の開口は、架台部１ｃの一つの外側側面から内側の側面に向けて貫通するように構成されてなる。
尚、連通部１ｄの側方の開口の下端は、側壁部１ｂの上端と同じ高い位置に形成されてなる。
閉塞部材３は下方が開口した箱体であって、その側面に連通部１ｄと嵌合する嵌合部（図示せず）を形成してなり、またその内部には、継手管５が取り付けられる固定部２が設けられてなる。また、閉塞部材３の、施工完了時防水パン本体１の中心側を向く面及び防水パン本体１の外側を向く面に、それぞれ固定部２としての開口が設けられてなる。
これら側面の開口は、閉塞部材３の側面に段を設けることで、平面視継手管５が全て閉塞部材３外周縁内に収まるように形成されてなる。
尚、施工完了時、ハンドル部５の上端は、架台部１ｃ内に閉塞部材３が収納されるために当然ではあるが、架台部１ｃの上端よりも低い位置となるように構成されてなる。
また、施工完了時において、継手管５の下端部分は、洗濯機用防水パンを設置する床面Ｆよりも高い位置となるように、防水パン本体１、閉塞部材３、継手管５、の各部材は構成されてなる。このため、施工が完了した状態では、床下に配置されている給水配管Ｑの端部は、床面Ｆ上に延出した状態に配置される。
【００２６】
以下に、本発明の洗濯機用防水パンと洗濯機Ｓの施工方法を、図面を参照しつつ記載する。尚、以下の施工において、特に記載しないが、水密的な接続が必要となる箇所は、接着やパッキング、コーキング剤の使用等により水密的に接続される。
まず、床下から給水配管Ｑを延出し、継手管５に接続する。次に、この継手管５を閉塞部材３に取り付け固定する。具体的には、閉塞部材３の側面に設けた、施工完了時防水パン本体１の外側を向く面の開口に、ハンドル部５ａと継手管５とで開口周縁を挟持するようにして継手管５端部を固定する。また、施工完了時防水パン本体１の外側を向く面の開口も、ナット部材と継手管５とで開口周縁を挟持するようにして継手管５端部を固定する。この作業は、あまり大きくない閉塞部材３を向き等自由に動かしながら作業を行うことができ、また、閉塞部材３を床面Ｆの開口を介して床下空間に配置して作業を行うことで、給水配管Ｑを無理やり引き上げる等する必要も無く、施工作業は極めて容易に完了する。
次に、平面視施工完了時防水パン本体１の連通部１ｄが配置される位置に、閉塞部材３を移動させ仮置きする。
次に、トラップ本体６ａの排出口を床下配管に接続した上で、防水パン本体１の取付孔１ｅ周縁を、トラップ本体６ａの上面と、フランジ部材６ｂの鍔部下面とで挟持した上で、トラップ本体６ａの雌ネジと、フランジ部材６ｂの雄ネジを螺合させて、排水トラップ６を防水パン本体１に固定する。前述のように、排水配管Ｈは若干撓ませることはできるものの、大きく変形させることはできないため、まだ固定ネジ（図示せず）で固定されていないため多少移動など可能なものの、防水パン本体１はこの時点で事実上施工完了位置に配置される。
次に、閉塞部材３を、連通部１ｄから上方に引き上げて、連通部１ｄに嵌合させ固定する。
この時点で、連通部１ｄの下方の開口が、閉塞部材３に閉塞されることで、連通部１ｄが閉塞部材３に閉塞される。
ハンドル部５ａは架台部１ｃの外側側面に形成された連通部１ｄの開口から露出し、ハンドル部５ａへの操作が可能となる。また、継手管５の洗濯機Ｓ側の端部は架台部１ｃの内側側面に形成された連通部１ｄの開口から露出し、洗濯機Ｓの給水ホース管Ｑ１との接続が可能となる。
次に、防水パン本体１を、固定ネジ等を用いて、床面Ｆの所定の位置に固定する。また、排水トラップ６の内部に封水部材６ｃを取り付ける。
次に、洗濯機Ｓを、防水パン本体１の近傍に移動させ、給水ホース管Ｑ１を洗濯機用防水パンの継手管５の端部に、排水ホース管Ｈ１を排水トラップ６の排水接続部６ｅに、それぞれ接続する。
次に、洗濯機Ｓを、その脚部が防水パン本体１の架台部１ｃ上に載架されるように配置して、洗濯機用防水パンと洗濯機Ｓの施工が完了する。
上記のように、本実施例の洗濯機用防水パンは、防水パン本体１の表側の連通部１ｄが防水パン本体１の側面方向に向かって開口すると共に、閉塞部材３に給水配管Ｑを接続した継手管５を固定する固定部２を備え、且つ閉塞部材３を防水パン本体１の下方から挿通することで連通部１ｄを閉塞する洗濯機用防水パンである。
【００２７】
上記のように構成された洗濯機用防水パンと、該洗濯機用防水パンに載置された洗濯機Ｓは、段落００１８に記載した第一実施例と同様に使用することができ、また、段落００１９、段落００２０に記載した以下第一実施例と同様に給水ホース管Ｑ１や排水ホース管Ｈ１、また洗濯機Ｓの破損による給水／排水の流出を処理することができる。
【００２８】
本発明の実施例は以上のようであるが、本発明は上記実施例に限定される物ではなく、主旨を変更しない範囲において自由に変更が可能である。
例えば、上記実施例では、架台は平面視略正方形形状に構成されてなるが、本発明は上記実施例に限定されるものでは無く、必要に応じて円形や略多角形形状に構成しても良い。
【符号の説明】
【００２９】
１    防水パン本体
１ａ  底壁部
１ｂ  側壁部
１ｃ  架台部
１ｄ  連通部
１ｅ  取付孔
１ｆ  立ち上げ壁
２    固定部
３    閉塞部材
４    点検機構
４ａ  点検窓
４ｂ  蓋部材
５    継手管
５ａ  ハンドル部
５ｂ  アダプター部
６    排水トラップ
６ａ  トラップ本体
６ｂ  フランジ部材
６ｃ  封水部材
６ｄ  排水口
６ｅ  排水接続部
７    凹部
７ａ  ビス穴
８    ホルダー部材
８ａ  穴部
９    ビス部材
Ｆ    床面
Ｆ１  床下配管口
Ｈ    排水配管
Ｈ１  排水ホース管
Ｑ    給水配管
Ｑ１  給水ホース管
Ｓ    洗濯機
【図１】
2019210642.tif 000003
【図２】
2019210642.tif 000004
【図３】
2019210642.tif 000005
【図４】
2019210642.tif 000006
【図５】
2019210642.tif 000007
【図６】
2019210642.tif 000008
【図７】
2019210642.tif 000009
【図８】
2019210642.tif 000010
【図９】
2019210642.tif 000011
【図１０】
2019210642.tif 000012
【図１１】
2019210642.tif 000013
【図１２】
2019210642.tif 000014
【図１３】
2019210642.tif 000015
【図１４】
2019210642.tif 000016
【図１５】
2019210642.tif 000017
【図１６】
2019210642.tif 000018
【図１７】
2019210642.tif 000019
【図１８】
2019210642.tif 000020
【図１９】
2019210642.tif 000021
【図２０】
2019210642.tif 000022
【図２１】
2019210642.tif 000023
【図２２】
2019210642.tif 000024